(57)【要約】【課題】洗濯物をハンガーに掛けて物干し竿に吊したときに、風などによってそのハンガーの吊り下げ位置がずれないように容易に固定することができる洗濯ばさみを提供する。【解決手段】左右一対の挟み片を向かい合わせに対峙させ、その中間部分を連結用回動部として結合させ、一方に開閉操作用の把持部と、他方に挟持部を有し、両挟み片の挟持部同志が常時当接する方向に付勢するスプリングを取り付けた洗濯ばさみにおいて、挟持部の先端から連結用回動部の手前に到るまで挟持部外周面に凹型溝部を設け、該凹型溝部は連結用回動部の手前において挟持部外周面から内周面に貫通している貫通部に接続していることを特徴とする洗濯ばさみ。【選択図】    図１
2004160124.tif 000002
【特許請求の範囲】
【請求項１】
左右一対の挟み片２ａ、２ｂを向かい合わせに対峙させ、その中間部分を連結用回動部６ａ、６ｂとして結合させ、一方に開閉操作用の把持部３ａ、３ｂと、他方に挟持部４ａ、４ｂを有し、両挟み片２ａ、２ｂの挟持部４ａ、４ｂ同志が常時当接する方向に付勢するスプリング５を取り付けた洗濯ばさみ１において、挟持部４ａ、４ｂの先端から連結用回動部６ａ、６ｂの手前に到るまで挟持部外周面に凹型溝部７ａ、７ｂを設け、該凹型溝部は連結用回動部６ａ、６ｂの手前において挟持部外周面から内周面に貫通している貫通部８ａ、８ｂに接続していることを特徴とする洗濯ばさみ。
【発明の詳細な説明】
【０００１】
【発明の属する技術分野】
本発明は、洗濯物などをハンガーに掛けて乾燥させるときに使用する洗濯ばさみに関するものである。
【０００２】
【従来の技術】
洗濯物をハンガーに掛けて物干し竿に吊したときに、風によって洗濯物がハンガーと一緒に飛散して汚れてしまったり、物干し竿の片側に吹き寄せられ密着してしまって乾燥が十分に行われないなどの不都合がある。このような不都合を解決する従来の技術として、図４、５は、洗濯物を挟む機能とハンガーの吊り下げ位置を物干し竿に固定する機能を併せ持った従来の洗濯ばさみの一例を示す。ここに示す従来の洗濯ばさみ２１は、一対の挟み片２２ａ、２２ｂとスプリング２５で構成される。挟み片２２ａ、２２ｂは、物干し竿４１や洗濯物を挟む概略半円状の挟持部２４ａ、２４ｂと、該挟持部を開閉させるために指で摘んで付勢する把持部２３ａ、２３ｂと、両挟み片のほぼ中間部分に設けられた連結用回動部２６ａ、２６ｂとからなり、該連結用回動部で回動可能に対峙している。概略Ｃ字型をしているスプリング２５は、両挟み片２２ａ、２２ｂの挟持部２４ａ、２４ｂ同志が常時当接する方向に付勢するために設けられている。挟持部２４ａ、２４ｂは、図５に示すようにそれぞれ２本ずつあり、それぞれの挟持部が交わる部分にはハンガーフック部４０の吊り下げ位置を固定するためのハンガー固定用切り込み部２７が設けられている。この洗濯ばさみ２１を用いてハンガーを吊した位置を固定するには、まずハンガーフック部４０を物干し竿４１に掛け、次に該物干し竿４１の別の場所に挟んである洗濯ばさみ２１を取り外し、最後に図５に示すように洗濯ばさみ２１でハンガーフック部４０の吊り下げ位置を固定するという３段階の作業が必要である。逆に洗濯物を取り入れるときは、まず洗濯ばさみ２１を物干し竿４１から取り外し、次に物干し竿４１の別の場所に取り付け、最後にハンガーを取り外すという３段階の作業が必要である。洗濯物を干す作業は毎日のように行われるため、ひとつのハンガーを物干し竿に吊すのに３段階、取り外すのに３段階もの作業が必要であることは時間と労力と苦痛を伴うものである。
【０００３】
物干し竿４１に吊したハンガーの位置を固定するための従来の他の実施例として、図６、７にハンガー掛けを示す。このハンガー掛け３１は、ハンガー掛け専用に作られた単一の部品で、物干し竿４１の外径よりやや小さめに成形された内周面と、ハンガーフック部４０を掛ける凹型溝部３７と、ハンガーフック部の先端を周囲から保持するための貫通部３８からなる。該ハンガー掛け３１は、その弾力性を利用して物干し竿に押し込んで固定される。ハンガーに掛けた洗濯物をこのハンガー掛け３１を用いてを干すには、ハンガーフック部４０を凹型溝部３７と貫通部３８に掛けるだけの一回の作業で行え簡単である。しかしこのハンガー掛け３１は、ハンガー掛けだけの機能しかなく洗濯物を挟む機能がないこと、外径が異なる物干し竿には使用できないこと、挟み込んだ物干し竿の箇所は洗濯物が干せなくなり物干し竿を有効に利用することができないこと、物干し竿への着脱にかなりの力が必要なことなどの不都合がある。
【０００４】
【発明が解決しようとする課題】
本発明は上記事情に鑑みてなされたもので、洗濯物を挟む機能とハンガーの吊り下げ位置を物干し竿に固定する機能を併せ持つこと、１回だけの作業でハンガーの吊り下げ位置を固定することができること、外径が異なる物干し竿にも使用できること、物干し竿への着脱が容易であることなどの特徴を持つ洗濯ばさみを提供することを目的としている。
【０００５】
【課題を解決しようとする手段】
上記課題は、左右一対の挟み片を向かい合わせに対峙させ、その中間部分を連結用回動部として結合させ、一方に開閉操作用の把持部と他方に半円状の挟持部を有し、両挟み片の挟持部同志が常時当接する方向に付勢するスプリングを取り付けた洗濯ばさみにおいて、挟持部の先端から連結用回動部の手前に到るまで挟持部外周面に凹型溝部を設け、該凹型溝部は連結用回動部の手前において挟持部外周面から内周面に貫通している貫通部に接続していることを特徴とする洗濯ばさみによって解決することができる。
【０００６】
【発明の実施の形態】
図１から図３は、本発明の洗濯ばさみの一実施形態を示す。図１および２において、洗濯ばさみ１は、一対の挟み片２ａ、２ｂとスプリング５で構成され、挟み片２ａ、２ｂは、物干し竿や洗濯物を挟む概略半円状の挟持部４ａ、４ｂと、該挟持部を開閉させるために指で摘んで付勢する把持部３ａ、３ｂと、挟み片のほぼ中間部分に設けられた連結用回動部６ａ、６ｂとからなり、挟み片２ａ、２ｂは該連結用回動部６ａ、６ｂにおいて回動可能に対峙し、概略Ｃ字型をしているスプリング５によって挟持部４ａ、４ｂに挟む力を付勢している。挟持部４ａ、４ｂの先端から連結用回動部６ａ、６ｂの手前に到るまで概略半円状の挟持部外周面に凹型溝部７ａ、７ｂを設け、該凹型溝部は連結用回動部６ａ、６ｂの手前において挟持部外周面から内周面に貫通している貫通部８ａ、８ｂに接続している。
【０００７】
図１および図２はそれぞれの挟み片に単一の挟持部を保有する洗濯ばさみ１の例を示したが、図３は、それぞれの挟み片に２本の挟持部を保有する洗濯ばさみ１の例を示す。
【発明の効果】
【０００８】
本発明の洗濯ばさみは、以上説明したように構成されるので、以下に記載されるような効果を奏する。
【０００９】
洗濯物を挟む機能とハンガーの吊り下げ位置を物干し竿に固定する機能を併せ持っているため、物干し竿上で使用する洗濯ばさみの種類を少なくすることができ、物干し作業が容易に行える。
【００１０】
ハンガーの吊り下げ位置を物干し竿に固定する機能によって、洗濯物を吊したハンガーが風で飛散して汚れたり、物干し竿の片側に吹き寄せられ密着してしまって乾燥が十分に行われないなどの不都合が解消される。
【００１１】
また本発明にかかわる洗濯ばさみを予め物干し竿の適切な場所に適切な方向に挟んでおけば、洗濯物を掛けたハンガーを洗濯ばさみの凹型溝部と貫通部に掛けるだけの１回の作業で終えることがことができ、時間と労力と苦痛を伴う従来の不都合が解消できる。
【００１２】
それぞれの挟み片に複数の挟持部を保有する洗濯ばさみの場合は、１個の洗濯ばさみで挟持部の数だけのハンガーを吊すことができるため、経済的でかつ物干し竿の長さを有効に活用することができる。
【００１３】
さらに本発明にかかわる洗濯ばさみは、物干し竿に挟むだけなので、外径が異なる物干し竿にも使用できることや、移動が簡単に行える。
【図面の簡単な説明】
【図１】本発明にかかわる洗濯ばさみの一実施形態を示す一部断面の側面図である。
【図２】図１に示す実施形態の上面図である。
【図３】本発明にかかわる洗濯ばさみの他の実施形態を示す上面図である。
【図４】従来の洗濯ばさみの一例を示す一部断面の側面図である。
【図５】図４に示す従来の洗濯ばさみ例の正面図である。
【図６】従来のハンガー掛けの一実施形態を示す一部断面の側面図である。
【図７】図６に示す従来のハンガー掛け例の上面図である。
【符号の説明】
１、２１・・・・・・・・・・・・洗濯ばさみ
２ａ、２ｂ、２２ａ、２２ｂ・・・挟み片
３ａ、３ｂ、２３ａ、２３ｂ・・・把持部
４ａ、４ｂ、２４ａ、２４ｂ・・・挟持部
５、２５・・・・・・・・・・・・スプリング
６ａ、６ｂ、２６ａ、２６ｂ・・・連結用回動部
７ａ、７ｂ、３７・・・・・・・・凹型溝部
８ａ、８ｂ、３８・・・・・・・・貫通部
２７・・・・・・・・・・・・・・ハンガー固定用切り込み部
３１・・・・・・・・・・・・・・ハンガー掛け
４０・・・・・・・・・・・・・・ハンガーフック部
４１・・・・・・・・・・・・・・物干し竿
【図１】
2004160124.tif 000003
【図２】
2004160124.tif 000004
【図３】
2004160124.tif 000005
【図４】
2004160124.tif 000006
【図５】
2004160124.tif 000007
【図６】
2004160124.tif 000008
【図７】
2004160124.tif 000009